(57)【要約】【課題】複数の大きさのテープカセットをカセットホルダの所定位置に案内すると同時に、大型カセット使用時にカセット挿入ガイドの退避量を最低限に抑制し、装置の薄型化、動作時間の短縮、および挿入時の抵抗力を低減する汎用性の高いカセット装着装置を提供する。【解決手段】ＳカセットおよびＭカセット用のカセットストッパおよびカセット挿入ガイドが、各々回動可能な構成にすることにより、Ｌカセット使用時の挿入空間からの退避する退避量を最小限に抑制すると共に、配置関係をずらすことによって挿入抵抗力の抑制を図り、メインホルダ２０１に対してスライド移動するテープカセットの位置を検出する検出スイッチを、当該カセットホルダに設けることによって複雑な配線を不要にし、カセット装着装置の小型化を実現する。【選択図】        図５
2004192664.tif 000002
【特許請求の範囲】
【請求項１】
複数のテープカセットを選択的に搭載し、当該テープカセットの脱着位置および記録再生位置の間で搭載したテープカセットを移動させるカセット装着装置であって、
テープカセットのサイズに応じて、テープカセットを所定の保持位置に保持するカセットホルダと、
前記脱着位置および前記記録再生位置の間でテープカセットが保持された前記カセットホルダを移動させる搬送機構とを備え、
前記カセットホルダは、少なくとも、
テープカセットを保持する保持空間外に設けられた第１の支軸と、
前記保持空間に突出することによって相対的に小さな第１のテープカセットの側面を第１の保持位置に案内し、かつ前記第１の支軸に対して回動可能に設けられる第１のガイド部と、
前記第１のガイド部と別体で構成され、前記保持空間に突出することによって前記第１のテープカセットの前面を前記第１の保持位置に係止し、かつ前記第１の支軸に対して回動可能に設けられる第１のストッパ部とを含み、
前記カセットホルダが前記第１のテープカセットより大きなテープカセットを保持する場合、前記第１のガイド部および前記第１のストッパ部は、前記保持空間に突出する突出量に応じて前記第１の支軸を中心にそれぞれ回動することによって、前記保持空間外に退避する、カセット装着装置。
【請求項２】
前記第１のガイド部および前記第１のストッパ部は、前記保持空間外に退避するための前記第１の支軸を中心とした回動角度がそれぞれ異なる、請求項１に記載のカセット装着装置。
【請求項３】
前記第１の支軸は、前記保持空間外で、かつ前記第１の保持位置に保持される前記第１のテープカセットの底面と相対しない位置に配置され、
前記第１のガイド部の回動角度は、前記第１のストッパ部の回動角度より大きい、請求項２に記載のカセット装着装置。
【請求項４】
前記第１のガイド部および前記第１のストッパ部は、前記保持空間から退避するために、前記第１のガイド部のみが前記第１の支軸を中心として第１の回動角度回動し、さらに前記第１のガイド部および前記第１のストッパ部とが一体的に第２の回動角度回動する、請求項２に記載のカセット装着装置。
【請求項５】
前記第１のガイド部および前記第１のストッパ部は、前記保持空間から退避する退避量が略同一であることを特徴とする、請求項１に記載のカセット装着装置。
【請求項６】
前記第１のストッパ部は、さらに、前記第１の保持位置に保持される前記第１のテープカセットが有する収納された磁気テープを保護する蓋のロック解除部と接触することによって、当該ロックを解除する機能を有する、請求項１に記載のカセット装着装置。
【請求項７】
前記カセットホルダは、
テープカセットを保持する保持空間外に設けられた第２の支軸と、
前記保持空間に突出することによって前記第１のテープカセットより大きな第２のテープカセットの側面を第２の保持位置に案内し、かつ前記第２の支軸に対して回動可能に設けられる第２のガイド部と、
前記第２のガイド部と別体で構成され、前記保持空間に突出することによって前記第２のテープカセットの前面を前記第２の保持位置に係止し、かつ前記第２の支軸に対して回動可能に設けられる第２のストッパ部とを、さらに含み、
前記カセットホルダが前記第２のテープカセットより大きな第３のテープカセットを保持する場合、前記第２のガイド部および前記第２のストッパ部は、それぞれ前記保持空間に突出する突出量に応じて前記第２の支軸を中心にそれぞれ回動することによって、前記保持空間外に退避する、請求項１に記載のカセット装着装置。
【請求項８】
前記第１および第２のガイド部は、前記脱着位置を基準にテープカセット脱着方向に対して互いの配置位置が異なる、請求項７に記載のカセット装着装置。
【請求項９】
前記第１および第２のストッパ部は、前記第１および第２の支軸に対してそれぞれ摺動可能に設けられており、
前記カセットホルダは、さらに、前記第１または第２のストッパ部の摺動によって、前記第１および第２のストッパ部と選択的に係合することにより、前記第１および第２の保持位置に保持された前記第１および第２のテープカセットの位置を検出する第１のテープカセット位置検出部を含む、請求項７に記載のカセット装着装置。
【請求項１０】
さらに、前記保持空間に突出することによって前記第３のテープカセットの前面を前記カセットホルダの第３の保持位置に係止し、かつ前記カセットホルダに対して所定の相対移動が可能な第３のストッパ部を備え、
前記カセットホルダは、さらに、
前記第３のテープカセットの側面を前記第３の保持位置に案内する第３のガイド部と、
当該カセットホルダに対する前記第３のストッパ部の位置を検出することにより前記第３の保持位置に保持された前記第３のテープカセットの位置を検出する第２のテープカセット位置検出部とを含む、請求項７に記載のカセット装着装置。
【請求項１１】
前記第３のストッパ部は、その一方に端部を有し、かつ少なくとも一部に切り欠きが形成され、
前記第２のテープカセット位置検出部は、前記第３のストッパ部に形成された切り欠きを検出することによって前記カセットホルダに対する前記第３のストッパ部の第１の位置を検出し、前記第３のストッパ部が有する端部を検出することによって前記カセットホルダに対する前記第３のストッパ部の第２の位置を検出する、請求項１０に記載のカセット装着装置。
【請求項１２】
前記第２および第３のストッパ部は、さらに、前記第２および第３の保持位置に保持されるそれぞれの前記第２および第３のテープカセットが有する収納された磁気テープを保護する蓋のロック解除部と接触することによって、当該ロックを解除する機能を有する、請求項１０に記載のカセット装着装置。
【発明の詳細な説明】
【０００１】
【発明の属する技術分野】
本発明は、カセットサイズの異なる複数のテープカセットを選択的に使用するカセット装着装置に関する。
【０００２】
【従来の技術】
従来、ビデオテープレコーダ等のカセット式記録再生装置では、記録フォーマットは同じであるが、大きさの異なるテープカセットを選択的に使用するものがある（例えば特許文献１参照）。このようなサイズの異なる複数のテープカセットを選択的に使用する装置においては、それぞれのテープカセットを記録再生する所定位置に移動させるカセットホルダが、当該所定位置に正確にそれぞれのテープカセットを案内するかが重要である。以下、従来のカセット式記録再生装置の構成について説明する。
【０００３】
従来のカセット式記録再生装置は、装着するそれぞれのテープカセットを上記所定位置まで移動させるカセットホルダに対して、回動自在に一対の小型カセット用のカセット挿入ガイドが設けられている。このカセット挿入ガイドに設けられた案内部が、上記カセットホルダの底面より所定量突出することによって、小型カセットの両側面を案内するようになっている。また、カセット挿入ガイドに上記案内部と一体的に形成され設けられたカセットストッパ部が、同様に上記カセットホルダの底面より所定量突出することによって、小型カセットの前面の位置決めを行い、小型カセットのカセットホルダ内での奥行き位置を決定するようになっている。
【０００４】
上記カセット挿入ガイドは、ガイドばねにより常時上記カセットホルダの底面から突出する方向に回動支点を中心に付勢されている。そして、大型カセットが上記カセットホルダ内に挿入されると、上記カセット挿入ガイドは、当該大型カセットの挿入を妨げないように、上記ガイドばねの付勢力に抗して下方向（カセットホルダの底面から上記案内部およびカセットストッパ部が突出しない方向）に回動する。なお、一般的には、上記カセット挿入ガイドの回動支点は、小型カセットの挿入動作で容易に退避することがないよう、挿入された小型カセットの側面よりも外側に設けられる。また、小型カセットを係止する性質上、カセットストッパ部と回動支点との水平距離は、案内部と回動支点との水平距離より大きく設けられている。
【０００５】
そして、上記カセットストッパ部および上記案内部により略位置決めされた小型カセットは、上記カセットホルダおよび上記カセット挿入ガイドと一体となって、水平方向及び垂直方向にそれぞれ所定量移動して、テープ駆動シャーシに装着され記録再生の所定位置で待機状態となる。また、大型カセットが装着された場合、上述したように上記カセット挿入ガイドが下方向に回動した状態で、当該大型カセットは、上記カセットホルダおよび上記カセット挿入ガイドと一体となって、水平方向及び垂直方向にそれぞれ所定量移動して、テープ駆動シャーシに装着され記録再生の所定位置で待機状態となる。
【０００６】
【特許文献１】
特開平９−１８０３２６号公報
【０００７】
【発明が解決しようとする課題】
しかしながら、上述した従来のカセット式記録再生装置は、装置の薄型化が困難であり、テープカセットの挿入から記録再生の所定位置までの移動時間が長くなる課題があった。上述したように、大型カセット使用時には案内部と一体的にカセットストッパ部も退避するが、それぞれに必要な退避量は、突出量に応じて決定される。そのため、回動支点を基準に案内部よりもさらに離間しているカセットストッパ部は、その退避量が大きくなり、カセットホルダ底面からさらに大きく退避することになる。したがって、装置内部に上記退避量を考慮した設計が必要となり、大型カセット使用時にテープ駆動シャーシ等との干渉を避けるため、必要以上にカセットホルダの移動ストロークを多くとる必要があった。つまり、上記退避量が大きいため、装置自体が大型化し、テープカセットの移動距離が長くなる。
【０００８】
上述した課題は、上記退避量の大きさが影響しているため、これらの退避量を少なくすることによって解決することが可能である。しかしながら、大型カセット使用時の退避量を抑制する為に、案内部やカセットストッパ部の突出量を少なくすると、小型カセットを挿入する際の使用者の挿入バラツキにより案内部が退避する場合があり、小型カセットがカセットホルダの所定位置に案内されないケースが発生する。例えば、カセット前面蓋を持ち上げながら挿入すると、カセット挿入ガイドを乗り上げて、装置本体の中に落ち込んで取り出しが出来ないことに起因する装置の損傷や、カセットそのものの損傷が発生することがある。
【０００９】
また、上述した従来のカセット式記録再生装置は、大きさの異なる複数のテープカセットの装着に対応するために、最も大きなカセットを装着する際に、他の小さなカセットに対応するカセット挿入ガイドを全て退避させて挿入することになる。上述したように、それぞれのカセット挿入ガイドに設けられている案内部およびカセットストッパ部は、ガイドばねにより常時上記カセットホルダの底面から突出する方向に回動支点を中心に付勢されている。したがって、従来のカセット式記録再生装置は、対応するテープカセットの種類に応じて、テープカセット挿入に対する抵抗力が大きくなっていた。
【００１０】
さらに、大きさの異なる３種類以上のテープカセットの装着に対応する場合、最小のテープカセットに対する最大のテープカセットの大きさの差が増加するため、それぞれのテープカセットに応じてカセットホルダ内での奥行き位置を同一にすると、上記案内部によって最小のテープカセットの側面を案内する案内長さの割合に対して、最大のテープカセットの側面を案内する案内長さの割合が極めて少なくなる。つまり、最大のテープカセットに対する案内長さ割合の減少によって、最大のテープカセットがカセットホルダの所定位置に案内されないケースが発生する。このような最大のテープカセットが案内されない現象を防止するために、上記案内長さの割合が少ないテープカセットに対しては、他のテープカセットに比べてカセットホルダ内での上記奥行き位置を奥に設定することによって上記案内長さを長く設けることによって防止することができる。しかし、一般的には、カセットホルダによる上記所定位置まで移動の際、それぞれの記録再生の位置を共通にするために、カセットホルダに対して上記奥行き位置が同一になるように装着されたテープカセットをスライドしなければならない。したがって、それぞれのテープカセットおよび移動メカニズムに応じた位置検出機構を複数準備しなければならないため、３種類以上のテープカセットが用いることができるテープカセット装着装置は、非常に構造が複雑となり信頼性が低くなった。
【００１１】
それ故に、本発明の目的は、使用者が特別な意識をしなくとも確実に複数の大きさのテープカセットをカセットホルダの所定位置に案内すると同時に、大型カセット使用時にカセット挿入ガイドの退避量を最低限に抑制し、装置の薄型化、動作時間の短縮、および挿入時の抵抗力を低減し、３種類以上のテープカセットを使用する場合も適用可能な汎用性の高いカセット装着装置を提供することである。
【００１２】
【課題を解決するための手段および発明の効果】
上記目的を達成するために、本発明は、以下に述べるような特徴を有している。
第１の発明は、複数のテープカセットを選択的に搭載し、そのテープカセットの脱着位置および記録再生位置の間で搭載したテープカセットを移動させるカセット装着装置であって、テープカセットのサイズに応じて、テープカセットを所定の保持位置に保持するカセットホルダと、脱着位置および記録再生位置の間でテープカセットが保持されたカセットホルダを移動させる搬送機構とを備え、カセットホルダは、少なくとも、テープカセットを保持する保持空間外に設けられた第１の支軸と、保持空間に突出することによって相対的に小さな第１のテープカセットの側面を第１の保持位置に案内し、かつ第１の支軸に対して回動可能に設けられる第１のガイド部と、第１のガイド部と別体で構成され、保持空間に突出することによって第１のテープカセットの前面を第１の保持位置に係止し、かつ第１の支軸に対して回動可能に設けられる第１のストッパ部とを含み、カセットホルダが第１のテープカセットより大きなテープカセットを保持する場合、第１のガイド部および第１のストッパ部は、保持空間に突出する突出量に応じて第１の支軸を中心にそれぞれ回動することによって、保持空間外に退避する。
【００１３】
上記第１の発明によれば、第１のテープカセットより大きなテープカセットが搭載された場合、搭載する第１のテープカセットに応じてその側面を案内する第１のガイド部およびその奥行き位置を決定する第１のストッパ部を、テープカセット挿入空間への突出量に応じてそれぞれ回動することによってその挿入空間から退避させることができる。つまり、上記挿入空間への突出量に応じて、その挿入空間から退避する退避量をそれぞれ最低限に設定することができる。したがって、カセットホルダに必要な退避のための空間を小さくすることが可能であり、そのカセットホルダが移動するための垂直ストロークを大きく低減することによって、カセット装着装置の薄型化および移動時間の短縮を実現することができる。また、共通の第１の支軸を用いて回動動作を行うため、装置の構造が単純となる。
【００１４】
第２の発明は、第１の発明に従属する発明であって、第１のガイド部および第１のストッパ部は、保持空間外に退避するための第１の支軸を中心とした回動角度がそれぞれ異なる。
【００１５】
上記第２の発明によれば、第１のガイド部および第１のストッパ部の回動角度を固有に設定することができるため、テープカセット挿入空間への突出量を自由に設定することが可能となる。
【００１６】
第３の発明は、第２の発明に従属する発明であって、第１の支軸は、保持空間外で、かつ第１の保持位置に保持される第１のテープカセットの底面と相対しない位置に配置され、第１のガイド部の回動角度は、第１のストッパ部の回動角度より大きい。
【００１７】
上記第３の発明によれば、第１のガイド部の退避のための回動角度を大きく設定できるため、第１のガイド部がテープカセット挿入空間への突出量を大きく設定することができる。したがって、第１のガイド部のテープカセット挿入空間への突出量を小さくしたことに起因する、第１のテープカセット挿入時の第１のガイド部への乗り上げもしくはカセット装着装置内への落ち込みによる不慮の事故や損傷等を未然に防ぐことができ、信頼性および安全性の高いカセット装着装置を実現できる。さらに、第１のテープカセットの挿入感に優れた操作性の高いカセット装着装置を提供することができる。
【００１８】
第４の発明は、第２の発明に従属する発明であって、第１のガイド部および第１のストッパ部は、保持空間から退避するために、第１のガイド部のみが第１の支軸を中心として第１の回動角度回動し、さらに第１のガイド部および第１のストッパ部とが一体的に第２の回動角度回動する。
【００１９】
上記第４の発明によれば、第１のガイド部の退避のための回動角度を大きく設定できるため、第１のガイド部がテープカセット挿入空間への突出量を大きく設定することができる。したがって、第１のガイド部のテープカセット挿入空間への突出量を小さくしたことに起因する、第１のテープカセット挿入時の第１のガイド部への乗り上げもしくはカセット装着装置内への落ち込みによる不慮の事故や損傷等を未然に防ぐことができ、信頼性および安全性の高いカセット装着装置を実現できる。さらに、第１のストッパ部の回動メカニズムを第１のガイド部と一体的に第２の回動角度だけ回動するようにするため、回動に係る装置構造が単純になり、スペース効率がよくなる。
【００２０】
第５の発明は、第１の発明に従属する発明であって、第１のガイド部および第１のストッパ部は、保持空間から退避する退避量が略同一であることを特徴とする。
【００２１】
上記第５の発明によれば、第１のガイド部および第１のストッパ部が保持空間から退避する退避量を略同一にすることによって、さらにスペース効率がよくなり、装置の薄型化を実現できる。
【００２２】
第６の発明は、第１の発明に従属する発明であって、第１のストッパ部は、さらに、第１の保持位置に保持される第１のテープカセットが有する収納された磁気テープを保護する蓋のロック解除部と接触することによって、このロックを解除する機能を有する。
【００２３】
上記第６の発明によれば、第１のストッパ部が第１のテープカセットの係止とロック解除との機能を兼ね備えることによって、カセット装着装置を構成する部品点数を削減することができる。
【００２４】
第７の発明は、第１の発明に従属する発明であって、カセットホルダは、テープカセットを保持する保持空間外に設けられた第２の支軸と、保持空間に突出することによって第１のテープカセットより大きな第２のテープカセットの側面を第２の保持位置に案内し、かつ第２の支軸に対して回動可能に設けられる第２のガイド部と、第２のガイド部と別体で構成され、保持空間に突出することによって第２のテープカセットの前面を第２の保持位置に係止し、かつ第２の支軸に対して回動可能に設けられる第２のストッパ部とを、さらに含み、カセットホルダが第２のテープカセットより大きな第３のテープカセットを保持する場合、第２のガイド部および第２のストッパ部は、それぞれ保持空間に突出する突出量に応じて第２の支軸を中心にそれぞれ回動することによって、保持空間外に退避する。
【００２５】
上記第７の発明によれば、大きさの異なる３種類のテープカセットが搭載可能なカセット装着装置においても、第１および第２のテープカセットより大きな第３のテープカセットが搭載された場合、搭載する第１および第２のテープカセットに応じてその側面を案内する第１および第２のガイド部およびその奥行き位置を決定する第１および第２のストッパ部を、テープカセット挿入空間への突出量に応じてそれぞれ回動することによってその挿入空間から退避させることができる。つまり、上記挿入空間への突出量に応じて、その挿入空間から退避する退避量をそれぞれ最低限に設定することができる。したがって、カセットホルダに必要な退避のための空間を小さくすることが可能であり、そのカセットホルダが移動するための垂直ストロークを大きく低減することによって、カセット装着装置の薄型化および移動時間の短縮を実現することができる。また、第２のガイド部および第２のストッパ部についても、共通の第２の支軸を用いて回動動作を行うため、装置の構造が単純となる。
【００２６】
第８の発明は、第７の発明に従属する発明であって、第１および第２のガイド部は、脱着位置を基準にテープカセット脱着方向に対して互いの配置位置が異なる。
【００２７】
上記第８の発明によれば、第１および第２のガイド部の配置をずらすことによって、第３のテープカセットを挿入する時の負荷の分散化を図ることができるため、ユーザにとって取り扱いやすく操作性の高いテープ装着装置を提供することができ、その実用的効果は大きい。
【００２８】
第９の発明は、第７の発明に従属する発明であって、第１および第２のストッパ部は、第１および第２の支軸に対してそれぞれ摺動可能に設けられており、カセットホルダは、さらに、第１または第２のストッパ部の摺動によって、第１および第２のストッパ部と選択的に係合することにより、第１および第２の保持位置に保持された第１および第２のテープカセットの位置を検出する第１のテープカセット位置検出部を含む。
【００２９】
上記第９の発明によれば、大きさが異なる第１および第２のテープカセットに対して、それぞれが搭載された保持位置を１つの第１のテープカセット位置検出部で検出することができる。
【００３０】
第１０の発明は、第７の発明に従属する発明であって、さらに、保持空間に突出することによって第３のテープカセットの前面をカセットホルダの第３の保持位置に係止し、かつカセットホルダに対して所定の相対移動が可能な第３のストッパ部を備え、カセットホルダは、さらに、第３のテープカセットの側面を第３の保持位置に案内する第３のガイド部と、このカセットホルダに対する第３のストッパ部の位置を検出することにより第３の保持位置に保持された第３のテープカセットの位置を検出する第２のテープカセット位置検出部とを含む。
【００３１】
上記第１０の発明によれば、カセットホルダに対して相対移動する第３のストッパ部によって係止される第３のテープカセットの保持位置を検出する第２のテープカセット位置検出部を、そのカセットホルダに設けることによって、スペース効率が良く、複雑な配線を不要にし、装置の信頼性を高めることができる。そして、第２のテープカセット位置検出部をカセットホルダに設けても、第３のテープカセットがユーザによって挿入された位置および第３のテープカセット移動後の位置を検出することができるため、カセット装着装置自体の信頼性を高めながら正確なテープカセットの位置検出を可能にしている。また、第１および第２のテープカセット位置検出部を同じカセットホルダに集約することによって、テープカセット位置検出のための配線を単純にすることができる。
【００３２】
第１１の発明は、第１０の発明に従属する発明であって、第３のストッパ部は、その一方に端部を有し、かつ少なくとも一部に切り欠きが形成され、第２のテープカセット位置検出部は、第３のストッパ部に形成された切り欠きを検出することによってカセットホルダに対する第３のストッパ部の第１の位置を検出し、第３のストッパ部が有する端部を検出することによってカセットホルダに対する第３のストッパ部の第２の位置を検出する。
【００３３】
上記第１１の発明によれば、第２のテープカセット位置検出部は、第３のストッパ部の形状によって、カセットホルダに対する第３のストッパ部の位置を少なくとも２箇所検出することができる。例えば、第１の位置を第３のテープカセットがユーザによって脱着される位置に設定し、第２の位置を第３のテープカセットが記録再生される位置に設定することによって、第３のテープカセットの位置検出に重要な位置を検出することが可能となり。第３のテープカセットを正確に記録再生可能な位置まで案内することができる。
【００３４】
第１２の発明は、第１０の発明に従属する発明であって、第２および第３のストッパ部は、さらに、第２および第３の保持位置に保持されるそれぞれの第２および第３のテープカセットが有する収納された磁気テープを保護する蓋のロック解除部と接触することによって、これらのロックを解除する機能を有する。
【００３５】
上記第１２の発明によれば、第２および第３のストッパ部が第２および第３のテープカセットの係止とロック解除との機能を兼ね備えることによって、カセット装着装置を構成する部品点数を削減することができる。
【００３６】
【発明の実施の形態】
本発明の一実施形態に係るカセット装着装置について説明する。ビデオテープレコーダ等のカセット式記録再生装置では、記録フォーマットは同じであるが、サイズおよび記録時間の異なるテープカセットを選択的に使用するものがある。当該カセット装着装置は、このようなカセット式記録再生装置に設けられるものであり、サイズおよび記録時間の異なる３種類のテープカセットを選択的に使用する一例を説明する。以下、上記３種類のテープカセットを、サイズの大きい順にＬカセット、Ｍカセット、およびＳカセットと記載する。
【００３７】
まず、図１および図２を参照して、本発明のカセット装着装置に用いられるテープカセットについて説明する。なお、図１はＳカセット１０の概略を示す斜視図であり、図２はＳカセット１０、Ｍカセット２０、およびＬカセット３０をそれぞれの大きさを比較するために重ねて底面から見た平面概要図である。
【００３８】
図１において、Ｓカセット１０の前面には、供給リール１６と巻き取りリール１７との間に架張する磁気テープ（図示せず）を覆うフロントリッド１１が設けられ、このフロントリッド１１を閉じた状態にロックするフロントリッドロック爪１２および１３がそれぞれ左右の側面近傍に設けられる。これらのフロントリッドロック爪１２および１３は、一方のみロック解除しても、他方によってロックされるためフロントリッド１１を開放できない構造になっており、内包する上記磁気テープを保護するようになっている。また、Ｓカセット１０の底面には、前面側中央近傍に２個の共通位置決め孔１４および１５が形成される。また、Ｓカセット１０の前面に架張された磁気テープと共通位置決め孔１４および１５との間には、当該磁気テープを引き出す為の引き出しポストが挿入可能な開口部１８が形成されている。これらの構成は、Ｍカセット２０およびＬカセット３０も同様である。Ｍカセット２０においては、フロントリッド２１、フロントリッドロック爪２２および２３、共通位置決め孔２４および２５、供給リール２６、巻き取りリール２７、および開口部１８が設けられる。また、Ｌカセット３０においては、フロントリッド３１、フロントリッドロック爪３２および３３、共通位置決め孔３４および３５、供給リール３６、巻き取りリール３７、および開口部３８が設けられる。
【００３９】
図２に示すように、上述したＳカセット１０、Ｍカセット２０、およびＬカセット３０から、フロントリッド１１、２１、および３１を省略して各底面の大きさを比較した場合、Ｍカセット２０の底面は、Ｓカセット１０の底面を完全に含むように構成されており、Ｌカセット３０の底面は、Ｍカセット２０の底面を完全に含むように構成されている。そして、Ｓカセット１０、Ｍカセット２０、およびＬカセット３０は、それぞれ図２紙面の左右方向において、中心線Ｙを中心に左右同一幅である。また、Ｓカセット１０、Ｍカセット２０、およびＬカセット３０は、それぞれの記録時間に対応して磁気テープ長が異なり、その結果、各リールへのテープ巻径がそれぞれ異なる。そのため、リール間ピッチもそれぞれ異なっている。
【００４０】
一方、それぞれＳカセット１０、Ｍカセット２０、およびＬカセット３０に形成される共通位置決め孔１４、１５、２４、２５、３４、および３５は、それぞれ同一孔間ピッチおよび孔径で形成され、これらの共通位置決め孔１４、１５、２４、２５、３４、および３５を共通位置にして３つのカセットを配置すると（図２参照）、開口部１８、２８、および３８がほぼ同じ位置に配置されるように構成されている。また、Ｓカセット１０、Ｍカセット２０、およびＬカセット３０は、同一厚さで構成されている。
【００４１】
次に、カセット式記録再生装置において、上述のように構成されたＳカセット１０、Ｍカセット２０、およびＬカセット３０を、ユーザが脱着可能な位置（以下、第１の位置と記載する）および装着されたテープカセットが記録再生可能な位置（以下、第２の位置と記載する）にそれぞれ案内して移動させるカセット装着装置について説明する。
【００４２】
まず、図３を参照して、カセット式記録再生装置の内部に設けられる本発明の一実施形態に係るカセット装着装置の全体構成について説明する。なお、図３は、当該カセット装着装置の全体構成を示す正面から見た斜視図である。
【００４３】
図３において、当該カセット装着装置は、大別すると、駆動機構１００およびカセットホルダ２００によって構成される。カセットホルダ２００は、上述したＬカセット３０、Ｍカセット２０、あるいはＳカセット１０の何れかを保持して上記第１および第２の位置の間を、駆動機構１００によって往復移動する機構である。そして、上述したＬカセット３０、Ｍカセット２０、およびＳカセット１０は、それぞれカセットホルダ２００に対してテープカセット挿入方向（図示ＩＮ方向：以下、正面とも記載する）から挿入または取り出しが可能となっている。これらのテープカセットの何れかを保持したカセットホルダ２００は、上記第１の位置から上記第２の位置に当該テープカセットを案内して移動する場合、駆動機構１００の駆動力によって、まず上記第１の位置から図示ＩＮ方向と水平に移動し、その後垂直に降下することによって上記第２の位置に到達する。このカセットホルダ２００の動作を図示Ｐ方向で示し、この動作は、後述するＬ字溝１０７ａおよび１０８ａに沿ってカセットホルダ２００が移動することによって行われる。これによって、テープカセットを上記第２の位置に強固に案内し、内包する磁気テープを引き出し、記録再生可能な状態に移行することが出来る。なお、テープカセットの取り出しは、上記第２の位置から図示Ｐ方向とは逆方向にカセットホルダが上昇し、その後水平に後退することによって上記第１の位置に到達し、カセット装着装置の正面からユーザが装着されていたテープカセットを取り出すことが可能になる。
【００４４】
次に、図４を参照して、カセット装着装置を構成するカセットホルダ２００を移動させる駆動機構１００について説明する。なお、図４は、カセット装着装置を構成する駆動機構１００の概観を示す後面から見た斜視図である。
【００４５】
図４において、駆動機構１００は、図示ＩＮ方向を基準にして左右に右側板１０７および左側板１０８を備えており、その上面に天板１０９を備えている。左側板１０８には、カセットホルダ２００を移動させる駆動源であるモータ１１０およびその歯車機構１１１が後面側に構成されているが、これらを除けば左側板１０８および右側板１０７は、基本的に同じ構成を成している。右側板１０７には、カセットホルダ２００を案内するＬ字溝１０７ａとスライド孔１０７ｂおよび１０７ｃとが形成されており、左側板１０８にも同様のＬ字溝１０８ａとスライド孔１０８ｂおよび１０８ｃとが形成されている。天板１０９は、４本のネジ（図示せず）によって右側板１０７および左側板１０８に固設されている。そして、上述したＬカセット３０、Ｍカセット２０、およびＳカセット１０は、それぞれ駆動機構１００に対して図示ＩＮ方向から挿入または取り出しが可能となっている。
【００４６】
次に、図５を参照して、カセット装着装置を構成するカセットホルダ２００について説明する。なお、図５は、カセット装着装置の正面から見たカセットホルダ２００の概観を示す斜視図である。
【００４７】
図５において、上述したようにカセットホルダ２００は、上述したように、Ｌカセット３０、Ｍカセット２０、あるいはＳカセット１０の何れかを保持して上記第１および第２の位置の間を、駆動機構１００によって往復移動する機構である。大別すると、カセットホルダ２００は、上面側が開口したコの字形状のメインホルダ２０１と、メインホルダ２０１の底面の下部（図５紙面の裏側）に設けられた一対のサブホルダ２３１との２ブロックより構成されている。
【００４８】
まず、メインホルダ２０１について説明する。メインホルダ２０１の正面方向から見た底面の左右には、当該底面と固定的に右側板部２０１ａおよび左側板部２０１ｂが構成されている。メインホルダ２０１には、その底面から突出することによって、横幅Ｇ１のＳカセット１０の側面を案内する一対のＳカセットガイド２１０と、横幅Ｇ２のＭカセット２０の側面を案内する一対のＭカセットガイド２２０とが設けられている。また、メインホルダ２０１の右側板部２０１ａおよび左側板部２０１ｂは、横幅Ｇ３のＬカセット３０の側面を案内する機能を有している。そして、右側板部２０１ａおよび左側板部２０１ｂには、装着されたテープカセットを下方に押圧するカセット押さえ機構２０２が回動自在に構成されている。カセット押さえ機構２０２は、後述するＳカセットガイドばね２１４およびＭカセットガイドばね２２４を合わせた付勢力よりも十分大きい付勢力を有しており、装着されたテープカセットをメインホルダ２０１内の下方に押圧することによって、テープカセットを安定して底面に沿わせて保持する能力を持っている。
【００４９】
カセット押さえ機構２０２には、Ｓカセット１０、Ｍカセット２０、あるいはＬカセット３０とそれぞれ係合することにより、装着されたテープカセットの種別を検知するＳカセット検知レバー２０３、Ｍカセット検知レバー２０４、およびＬカセット検知レバー２０５が設けられている。例えば、カセットホルダ２００に装着されたテープカセットがＭカセット２０の場合、Ｓカセット検知レバー２０３およびＭカセット検知レバー２０４の両者が係合する。そして、Ｌカセット３０が装着された場合、全てのカセット検知レバー２０３〜２０５が係合し、Ｓカセット１０が装着された場合、Ｓカセット検知レバー２０３のみが係合するように各カセット検知レバー２０３〜２０５が配置されている。
【００５０】
また、メインホルダ２０１の右側板部２０１ａおよび左側板部２０１ｂには、それぞれ外側に突出した支持ピン２０７ａおよび２０７ｂ（図５は、カセットホルダ２００の左側から見た斜視図であるため、支持ピン２０７ａは図示せず）が固設され、それぞれ駆動機構１００の右側板１０７に形成されたＬ字溝１０７ａおよび左側板１０８に形成されたＬ字溝１０８ａと係合して案内されながら、カセットホルダ２００全体が移動できるようになっている。
【００５１】
次に、図６を参照して、一対のＳカセットガイド２１０およびＭカセットガイド２２０の平面位置関係について説明する。なお、図６は、メインホルダ２０１に配置されたＳカセットガイド２１０とＭカセットガイド２２０の平面位置関係を示す平面概観図である。
【００５２】
図６において、Ｍカセットガイド２２０に対する一対のＳカセットガイド２１０は、カセット挿入方向（図示ＩＮ方向）に対して、距離Ｄだけ後面側に配置されている。これは、Ｌカセット３０をカセットホルダ２００に装着する時の挿入負荷が急激に増加することを抑制する為である。つまり、装着するＬカセット３０が、挿入初期にＭカセットガイド２２０に当接した後にＳカセットガイド２１０に当接することにより、挿入負荷を分散させて挿入感を向上させることができる。
【００５３】
次に、図７を参照して、Ｓカセットガイド２１０およびＭカセットガイド２２０の構造について説明する。Ｓカセットガイド２１０およびＭカセットガイド２２０は、Ｓカセットガイド２１０に後述するＳ／Ｍカセット検出ロッド２１６が設けられていることを除いて基本的に同一構成である。また、図６に示すように、一対のＳカセットガイド２１０およびＭカセットガイド２２０は、装着されるテープカセットの中心線Ｙに対して左右対称である為、ここでは、主に巻き取りリール側に設けられる一方のＳカセットガイド２１０について詳述する。なお、図７は、巻き取りリール側に設けられる一方のＳカセットガイド２１０およびＭカセットガイド２２０の概観を示す斜視図である。
【００５４】
図７において、Ｓカセットガイド２１０は、大別するとＳカセット１０の側面を案内するＳカセットガイド部材２１１およびＳカセット１０のカセットホルダ２００での奥行き位置を決定するＳカセットストッパ２１２より構成され、両者ともメインホルダ２０１の底面下部近傍に配置され固定された支軸２１３を中心に回動自在に支持されている。同様に、Ｍカセットガイド２２０も支軸２２３によって支持されたＭカセットガイド部材２２１およびＭカセットストッパ２２２の２要素より構成されている。Ｓカセットガイド部材２１１は、Ｓカセットガイドばね２１４により常時正面方向（図示ＩＮ方向）から見て時計方向に付勢されている。また、Ｓカセットガイド部材２１１の正面側には、テープカセットの挿入方向に対して所定の傾斜角を有した傾斜部２１１ａが形成されている。この傾斜部２１１ａは、Ｍカセット２０あるいはＬカセット３０がカセットホルダ２００に挿入される際に、当該テープカセットの底面と当接することによって、Ｓカセットガイド部材２１１が容易に上記正面方向から見て反時計方向に回動する構成としてある。また、同様に、Ｍカセットガイド部材２２１にも傾斜部２２１ａが形成されており、メインホルダ２０１に設けた支軸２２３を中心に時計方向にＭカセットガイド部材２２１を付勢するＭカセットガイドばね２２４を設けてある。なお、これらの回動動作については、後述する。
【００５５】
Ｓカセットストッパ２１２は、Ｓカセットガイド部材２１１が有する支軸２１３との２つの軸受部の間に配置され、支軸２１３に対して摺動もできる構成になっている。Ｓカセットストッパ２１２には、爪部２１２ａが形成されている。この爪部２１２ａは、カセットホルダ２００にＳカセット１０を装着した際、上述したＳカセット１０のフロントリッドロック爪１３と係合する位置に配置されており、Ｓカセット１０のフロントリッド１１のロック解除も行う役割を担っている。また、Ｓカセットストッパ２１２には、当接爪部２１２ｂが形成されている。この当接爪部２１２ｂは、Ｓカセットガイド部材２１１の外側側面と当接することによってＳカセットガイドばね２１４の付勢力を受け、Ｓカセットストッパ２１２全体を上記時計方向に付勢するものである。
【００５６】
なお、Ｓカセットガイド部材２１１はＳカセット１０の側面を案内する機能を有し、Ｓカセットストッパ２１２はＳカセット１０の奥行き位置を決定し、かつＳカセット１０のフロントリッドロック爪１３と係合する機能を有しているため、共通の回動支点（支軸２１３）を基準としたそれぞれの回動半径が異なる。本実施形態では、カセットホルダ２００に装着されるＳカセット１０の位置に対して外側に支軸２１３を設けているため、Ｓカセットガイド部材２１１の回動半径に比べてＳカセットストッパ２１２の回動半径が大きくなっている。
【００５７】
次に、図７〜図１４を参照して、Ｓカセットガイド２１０およびＭカセットガイド２２０の回動動作について説明する。なお、図８および図９はテープカセット未装着状態のＳカセットガイド２１０およびＭカセットガイド２２０を示す正面図および平面図であり、図１０はＭカセット２０が挿入途中の状態のＳカセットガイド２１０およびＭカセットガイド２２０を示す正面図であり、図１１、図１２および図１３はＭカセット２０が装着された状態のＳカセットガイド２１０およびＭカセットガイド２２０を示す正面図、斜視図、および平面図であり、図１４はＬカセット３０が装着された状態のＳカセットガイド２１０およびＭカセットガイド２２０を示す斜視図である。
【００５８】
図７〜図９において、Ｓカセットガイド部材２１１は、Ｓカセットガイドばね２１４により支軸２１３を中心に常時正面方向から見て時計方向に付勢されている。そして、Ｓカセットガイド部材２１１は、後述するＳ／Ｍカセット検出ロッド２１６に当接することで、一義的にその位置が決定付けられ、Ｓカセットガイド部材２１１に形成されるＳカセット１０の側面を案内する面がメインホルダ２０１の底面から突出して略垂直に起立する。また、Ｓカセットストッパ２１２も、Ｓカセットガイド部材２１１を介してＳカセットガイドばね２１４の付勢力を当接爪部２１２ｂで受けることによって、支軸２１３を中心に時計方向の回転モーメントを受ける。そして、Ｓカセットストッパ２１２は、Ｓ／Ｍカセット検出ロッド２１６に当接することで、一義的にその位置が決定付けられ、爪部２１２ａがメインホルダ２０１の底面から突出して略垂直に起立する。そして、Ｓカセットガイド部材２１１は、Ｍカセット２０がカセットホルダ２００に挿入される際に、その正面側に形成された傾斜部２１１ａが当該テープカセットの底面と当接することによって、Ｓカセットガイド部材２１１のみが正面方向から見て反時計方向に回動する。なお、Ｓカセットガイド部材２１１およびＳカセットストッパ２１２は、上記略垂直状態から正面方向から見て時計方向には回動しない構造になっている。
【００５９】
図１０において、Ｓカセットストッパ２１２およびＳカセットガイド部材２１１は、一体的に回動する構成ではなく、Ｓカセットガイド部材２１１が支軸２１３を中心に上記略垂直位置から反時計方向に角度θ１°回動するまでは、Ｓカセットストッパ２１２は、当該反時計方向の外力を受けない構成になっている。これは、Ｓカセットガイド部材２１１が反時計方向に角度θ１°回動するまでは、Ｓカセットストッパ２１２およびＳカセットガイド部材２１１が当接しない構造となっているためであり、上記略垂直位置でＳカセットガイド部材２１１と当接していた当接爪部２１２ｂは、Ｓカセットガイド部材２１１が反時計方向に回動していくと、徐々に離間していく。
【００６０】
そして、図１１〜図１３において、Ｓカセットガイド部材２１１が反時計方向に角度θ１°回動した後は、Ｓカセットガイド部材２１１とＳカセットストッパ２１２とが当接し、Ｓカセットストッパ２１２は、Ｓカセットガイド部材２１１を介して反時計方向の回転モーメントを受けてＳカセットガイド部材２１１と一体的に上記略垂直位置から反時計方向に角度θ２°まで回動する構成になっている。つまり、Ｓカセットガイド部材２１１の回動可能角度は、上記略垂直位置に対して角度（θ１＋θ２）°であり、Ｓカセットストッパ２１２の回動可能角度は、角度θ２°となる。これらの角度θ１°およびθ２°は、Ｍカセット２０がカセットホルダ２００に装着された場合、Ｓカセットガイド部材２１１とＳカセットストッパ２１２とがＭカセット２０の挿入動作を妨げないように設定される。つまり、Ｓカセットガイド部材２１１が角度（θ１＋θ２）°およびＳカセットストッパ２１２が角度θ２°まで回動することによって、それぞれテープカセット挿入空間への突出量が０になるように設定される。なお、Ｓカセットガイド部材２１１とＳカセットストッパ２１２とがメインホルダ２０１から退避する量（つまり、図１１におけるメインホルダ２０１の下部に突出する量）を規制するために、メインホルダ２０１底面に対して略平行に固着して設けた規制板２０８を設けてもかまわない。この場合、規制板２０８によって、上記回動可能角度が決定付けられ、Ｓカセットストッパ２１２およびＳカセットガイド部材２１１のメインホルダ２０１の底面から下方の突出量が決められるが、Ｓカセットストッパ２１２およびＳカセットガイド部材２１１が規制板２０８に接触したとき、それぞれテープカセット挿入空間への突出量が０になるように規制板２０８の配置位置が設定される。
【００６１】
一方、装着されたテープカセットが取り出された場合、上述した回動によって退避しているＳカセットガイド部材２１１は、Ｓカセットガイドばね２１４の付勢力によって上記略垂直状態に戻り、Ｓカセットストッパ２１２は、当接爪部２１２ｂから上記付勢力を受けることによって、略垂直状態に戻る。
【００６２】
このように、テープカセット挿入空間からの退避のために、上述した回動半径が長いＳカセットストッパ２１２の退避角度θ２°は、回動半径が短いＳカセットガイド部材２１１の退避角度（θ１＋θ２）°より小さく設定することができる。つまり、両者の退避角度が同じ場合、一般的に回動半径の短い部材が必要な退避角度によって規制されるが、上記略垂直位置におけるテープカセット挿入空間への突出量に応じてそれぞれ固有の退避角度を設定できるため、メインホルダ２０１の下部に突出する退避量をそれぞれ最低限に設定することができる。また、両者の退避角度が同じ場合、回動半径の短い部材が必要な退避角度によって規制されるため、メインホルダ２０１の下部に突出する退避量を少なくするためには、カセット案内部（Ｓカセットガイド部材２１１）の上記略垂直位置におけるテープカセット挿入空間への突出量を小さくする必要があった。しかしながら、それぞれ固有の退避角度を設定できるため、上記テープカセット挿入空間への突出量を自由に設定することができる。したがって、上記カセット案内部のテープカセット挿入空間への突出量を小さくしたことに起因する、テープカセット挿入時の案内部への乗り上げもしくは装置内への落ち込みによる不慮の事故や損傷等を未然に防ぐことができ、信頼性および安全性の高いＳカセットガイド部材２１１を設定することができる。さらに、従来以上にカセット案内部の高さを高く設計することができるため、挿入感に優れた操作性の高いカセット装着装置を提供することができる。
【００６３】
一方、図１４に示すように、カセットホルダ２００にＬカセット３０が装着された場合、Ｍカセットガイド２２０もＳカセットガイド２１０と同様にＭカセットガイド部材２２１およびＭカセットストッパ２２２が回動する。なお、Ｍカセットガイド２２０の回動動作については、上述したＳカセットガイド２１０と同様であるため、詳細な説明を省略する。
【００６４】
次に、図７〜図１４を参照して、Ｓカセットガイド２１０およびＭカセットガイド２２０の図示ＩＮ方向の摺動動作について説明する。Ｓカセットストッパ２１２には、スリーブ２１５が圧入されており、そのスリーブ２１５に嵌合してＳ／Ｍカセット検出ロッド２１６がメインホルダ２０１の底面裏側に当接するように設けられている（図９参照）。上述したように、Ｓカセットストッパ２１２は、支軸２１３に対して摺動可能に設けられているので、Ｓ／Ｍカセット検出ロッド２１６もＳカセットストッパ２１２の摺動動作と伴って、支軸２１３に対して摺動できる構成になっている。Ｓ／Ｍカセット検出ロッド２１６の一方端は、Ｓ／Ｍ検出ロッドばね２１７を介してメインホルダ２０１に連結されており、このＳ／Ｍ検出ロッドばね２１７によってＳ／Ｍカセット検出ロッド２１６およびＳカセットストッパ２１２が常に後面から正面方向に付勢されている。また、Ｓ／Ｍカセット検出ロッド２１６の他方端は、メインホルダ２０１に設けられたＳ／Ｍカセット検出スイッチ２１８に係合している。Ｓ／Ｍカセット検出スイッチ２１８は、例えば、一対の受発光素子を有する物体検出用の透過型フォトセンサであり、その中央部に遮る物体があるか否かで発生する電流値が変わる仕組みになっている。
【００６５】
例えば、Ｓカセット１０がカセットホルダ２００に装着されると、Ｓカセットストッパ２１２およびＳ／Ｍカセット検出ロッド２１６に図示ＩＮ方向の外力が与えられる。そして、Ｓ／Ｍカセット検出ロッド２１６は、Ｓカセットストッパ２１２と一体的に摺動し、Ｓ／Ｍカセット検出スイッチ２１８が有する一対の受発光素子の中央部に遮る構成となっている。このような構成によって、Ｓ／Ｍカセット検出ロッド２１６の他方端およびＳ／Ｍカセット検出スイッチ２１８は、両者の係合量により、メインホルダ２０１内におけるＳカセット１０の位置検出を行うことが可能であり、モータ１１０に通電開始を促すトリガーとしての役割を果たしている。
【００６６】
一方、Ｍカセットストッパ２２２は、支軸２２３に対して摺動可能に設けられており、図示ＩＮ方向へのＭカセットストッパ２２２の並進運動によって、所定の位置からＳ／Ｍカセット検出ロッド２１６と接触する構成となっている（図１２および図１３参照）。また、Ｍカセットストッパ２２２は、支軸２２３を軸としてＭカセットガイド部材２２１およびＭカセットストッパ２２２の軸受部の間に配置されたＭカセットストッパばね２２７（圧縮ばね）の付勢力により、常に後面から正面方向に付勢されている（図９および図１３参照）。つまり、カセットホルダ２００にＭカセット２０が装着されていない場合、Ｍカセットストッパ２２２は、Ｓ／Ｍカセット検出ロッド２１６に対して互いに離間している（図７および図９参照）。
【００６７】
例えば、Ｍカセット２０がカセットホルダ２００に装着されると、Ｍカセットストッパ２２２に図示ＩＮ方向の外力が与えられる。そして、Ｍカセットストッパ２２２が支軸２２３に沿って図示ＩＮ方向へ並進運動し、Ｓ／Ｍカセット検出ロッド２１６と接触した後は、Ｍカセットストッパ２２２およびＳ／Ｍカセット検出ロッド２１６が一体的に摺動し、Ｓ／Ｍカセット検出スイッチ２１８が有する一対の受発光素子の中央部に遮る構成となっている。そして、Ｍカセットストッパ２２２によりＳ／Ｍカセット検出ロッド２１６が駆動される場合においても、Ｓ／Ｍカセット検出スイッチ２１８への係合量はＳカセットストッパ２１２駆動時と同一に設定してある。
【００６８】
このような構成によって、Ｓ／Ｍカセット検出ロッド２１６は、Ｓカセットストッパ２１２あるいはＭカセットストッパ２２２を選択的に駆動できるようになっている。したがって、Ｓ／Ｍカセット検出ロッド２１６の他方端およびＳ／Ｍカセット検出スイッチ２１８は、両者の係合量により、メインホルダ２０１内におけるＳカセット１０およびＭカセット２０の位置検出を行うことが可能であり、モータ１１０に通電開始を促すトリガーとしての役割を果たすことができる。なお、Ｌカセット３０がカセットホルダ２００に装着された場合、Ｍカセットストッパ２２２は、上述したように回動する（図１４参照）ため、図示ＩＮ方向の外力が与えられず、上記並進運動を行わない。したがって、Ｓ／Ｍカセット検出ロッド２１６の他方端およびＳ／Ｍカセット検出スイッチ２１８は、メインホルダ２０１内におけるＬカセット３０の位置検出を行うことはできない。
【００６９】
図１５〜図１８を参照して、カセットホルダ２００を構成するサブホルダ２３１について説明する。なお、図１５はカセットホルダ２００の底面から見たサブホルダ２３１の概観を示す底面図であり、図１６〜図１８はＬカセット３０が装着された場合のサブホルダ２３１およびＬカセット検出ロッド２３６の動作を説明する底面図である。また、サブホルダ２３１は、一対の構造で構成され、上記直線Ｙに対して略左右形状および機能が同一であるため、直線Ｙに対して巻き取りリール側に配置される構成について説明する。
【００７０】
図１５において、サブホルダ２３１は、メインホルダ２０１に固設され底面側に植立したサブガイドピン２０６ａおよび２０６ｂに対して摺動自在に設けられている。メインホルダ２０１とサブホルダ２３１との間には、サブホルダばね２３２が張架しており、常時サブホルダ２３１をメインホルダ２０１に対してカセット挿入方向（図示ＩＮ方向）に付勢している。つまり、カセットホルダ２００がカセット脱着可能な位置に配置されている場合、サブホルダ２３１は、サブホルダばね２３２の付勢力によってカセット挿入口に対して奥側に配置される。そして、サブホルダ２３１は、メインホルダ２０１がモータ１１０の駆動によって図示ＩＮ方向に移動した場合、上述した位置関係を保持してメインホルダ２０１と共に移動するが、他の部材（例えば、駆動機構１００）に設けられた当接部３００とサブホルダ２３１に形成された一方端部２３１ａとが移動途中に当接することによって、当該当接後は図示ＩＮ方向には移動しない構成となっている（図１８の状態）。つまり、当接部３００と一方端部２３１ａとが当接した後は、サブホルダ２３１は、当接状態を保持して図示ＩＮ方向の移動を停止し、メインホルダ２０１のみが図示ＩＮ方向の移動を継続する。
【００７１】
また、サブホルダ２３１には、ロッドガイドピン２３３ａおよび２３３ｂが固設され底面側に植立しており、そのロッドガイドピン２３３ａおよび２３３ｂに対して摺動自在にＬカセット検出ロッド２３６が設けられる。Ｌカセット検出ロッド２３６とサブホルダ２３１の間には、Ｌ検出ロッドばね２３７が張架しており、常時Ｌカセット検出ロッド２３６をサブホルダ２３１に対してカセット離脱方向（図示ＯＵＴ方向）に付勢している。Ｌカセット検出ロッド２３６は、メインホルダ２０１の底面を貫通してテープカセットの挿入空間内に突出しており（図５参照）、Ｌカセット３０が装着された場合、そのフロントリッドロック爪３２および３３と係合してフロントリッドのロックを解除すると同時に、メインホルダ２０１との係合によってＬカセット３０を係止する機能を有している。なお、上述したように、サブホルダ２３１がサブホルダばね２３２の付勢力によってカセット挿入口に対して奥側に配置されているため、その結果、Ｌカセット検出ロッド２３６の上記挿入空間への突出部も、上述したＳカセットストッパ２１２およびＭカセットストッパ２２２の突出部に対して、カセット挿入口の奥側に配置される。つまり、Ｌカセット３０を係止する部位は、Ｓカセット１０およびＭカセット２０に比べてカセット挿入口に対して奥側に配置されているため、後述するＬカセット３０の側面を案内する長さが長く設定される。
【００７２】
さらに、Ｌカセット検出ロッド２３６には、切り欠き部２３６ａが形成されており、その切り欠き部２３６ａがメインホルダ２０１に設けられたＬカセット検出スイッチ２３８に係合する構成になっている。Ｌカセット検出スイッチ２３８は、上述のＳ／Ｍカセット検出スイッチ２１８と同様に、物体検出用の透過型フォトセンサであり、図１６および図１７に示すように、Ｌカセット検出ロッド２３６が摺動することによってＬカセット検出スイッチ２３８を遮り、メインホルダ２０１におけるＬカセット３０の位置が検出できるようになっている。また、サブホルダ２３１の一方端部２３１ａと当接部３００とが当接し、メインホルダ２０１が垂直方向に降下する移動をする状態において、Ｌカセット検出スイッチ２３８は、Ｌカセット検出ロッド２３６の端部２３６ｂの位置によって、Ｌカセット３０の位置が検出できるようになっている（図１８参照）。なお、メインホルダ２０１内にＬカセット３０が挿入する際、Ｌカセット検出ロッド２３６を介してＬ検出ロッドばね２３７の付勢力のみが挿入抵抗力として発生するようになっており、サブホルダばね２３２の付勢力は、上記挿入抵抗力には関係しない構成になっている。
【００７３】
次に、上述したカセット装着装置の全体の動作について説明する。まず、カセットホルダ２００にＳカセット１０が装着された場合について説明する。上述したように、Ｓカセット１０の横幅はＧ１であり、Ｓカセット１０がカセットホルダ２００に装着された場合、一対のＳカセットガイド部材２１１によってＳカセット１０の側面が案内されながら装着される。なお、上述したように、一対のＳカセットガイド部材２１１は、共にＳカセット１０に対して反側面方向には回動しないため、Ｓカセット１０を安定して案内することができる。その後、Ｓカセット１０は、Ｓカセットガイド部材２１１に案内されて、Ｓカセットストッパ２１２と当接する。
【００７４】
そして、Ｓカセットストッパ２１２およびＳ／Ｍカセット検出ロッド２１６は、Ｓ／Ｍ検出ロッドばね２１７の付勢力に抗して、一体的にメインホルダ２０１に対して摺動する。このＳ／Ｍカセット検出ロッド２１６の摺動によって、Ｓ／Ｍカセット検出ロッド２１６が所定量移動してＳ／Ｍカセット検出スイッチ２１８を遮ると、駆動機構１００に設けられたモータ１１０が回転を開始して、Ｓカセット１０を搭載したカセットホルダ２００が水平方向に移動を開始する。なお、Ｓ／Ｍカセット検出スイッチ２１８およびＳ／Ｍカセット検出ロッド２１６が一対で巻き取りリール側および供給リール側に構成されており、モータ１１０は、双方のＳ／Ｍカセット検出スイッチ２１８をＳ／Ｍカセット検出ロッド２１６が遮ることによって回転を開始する。そして、カセットホルダ２００は、右側板１０７および左側板１０８に形成されたＬ字溝１０７ａおよび１０８ａに案内されて移動し、搭載したＳカセット１０を上記第１の位置から上記第２の位置まで移動させる。そして、Ｓカセット１０に形成された共通位置決め孔１４および１５に位置決めピン（図示せず）等が挿入されることによって、Ｓカセット１０は正確に上記記録再生可能な位置に配置される。
【００７５】
次に、カセットホルダ２００にＭカセット２０が装着された場合について説明する。上述したように、Ｍカセット２０の横幅はＧ２であるため、横幅Ｇ２より狭い案内幅Ｇ１を有する一対のＳカセットガイド部材２１１は、傾斜部２１１ａにＭカセット２０の底面が当接することによって、上述した回動による退避を開始する。そして、Ｓカセットガイド部材２１１が略垂直位置から上記角度θ１°まで回動すると、Ｓカセットストッパ２１２がＳカセットガイド部材２１１と一体的に回動を開始する。Ｓカセットガイド部材２１１およびＳカセットストッパ２１２は、一体的にさらに角度θ２°回動し、カセットホルダ２００のテープカセット挿入口への突出量が０になる、あるいは規制板２０８に当接することによって回動動作を停止する。一方、Ｍカセット２０は、これらの動作と連動して、一対のＭカセットガイド部材２２１によってＭカセット２０の側面が案内されながら装着される。なお、上述したように、一対のＭカセットガイド部材２２１は、共にＭカセット２０に対して反側面方向には回動しないため、Ｍカセット２０を安定して案内することができる。その後、Ｍカセット２０は、Ｍカセットガイド部材２２１に案内されて、Ｍカセットストッパ２２２と当接する。
【００７６】
そして、Ｍカセットストッパ２２２は、カセット挿入方向に摺動してＳ／Ｍカセット検出ロッド２１６に当接する。さらに、Ｍカセットストッパ２２２、Ｓ／Ｍカセット検出ロッド２１６、および既に角度θ２°回動しているＳカセットストッパ２１２が一体となってカセット挿入方向に摺動することによって、Ｓ／Ｍカセット検出ロッド２１６が所定量移動してＳ／Ｍカセット検出スイッチ２１８を遮ると、駆動機構１００に設けられたモータ１１０が回転を開始して、Ｍカセット２０を搭載したカセットホルダ２００が水平方向に移動を開始する。なお、Ｓ／Ｍカセット検出スイッチ２１８およびＳ／Ｍカセット検出ロッド２１６が一対で巻き取りリール側および供給リール側に構成されており、モータ１１０は、双方のＳ／Ｍカセット検出スイッチ２１８をＳ／Ｍカセット検出ロッド２１６が遮ることによって回転を開始する。そして、カセットホルダ２００は、右側板１０７および左側板１０８に形成されたＬ字溝１０７ａおよび１０８ａに案内されて移動し、搭載したＭカセット２０を上記第１の位置から上記第２の位置まで移動させる。そして、Ｍカセット２０に形成された共通位置決め孔２４および２５に位置決めピン（図示せず）等が挿入されることによって、Ｍカセット２０は正確に上記記録再生可能な位置に配置される。
【００７７】
これらＳカセット１０あるいはＭカセット２０を搭載したカセットホルダ２００が、Ｍカセット２０を上記第２の位置まで右側板１０７および左側板１０８に形成されたＬ字溝１０７ａおよび１０８ａに案内されて移動させる際、Ｓ／Ｍカセット検出スイッチ２１８は、常にＳ／Ｍカセット検出ロッド２１６の位置を監視している。つまり、カセットホルダ２００による移動中に搭載されたＳカセット１０あるいはＭカセット２０がカセットホルダ２００に対して位置ずれした場合、その位置ずれをＳ／Ｍカセット検出スイッチ２１８によって検出することができ、Ｓカセット１０あるいはＭカセット２０をより正確に上記記録再生可能な位置まで案内することができる。また、Ｓ／Ｍカセット検出スイッチ２１８は、一対で巻き取りリール側および供給リール側に構成されており、双方の位置検出機構は同様である。したがって、カセットホルダ２００に搭載されたＳカセット１０あるいはＭカセット２０が、カセットホルダ２００に対して斜めに位置ずれした場合も検出が可能である。
【００７８】
次に、カセットホルダ２００にＬカセット３０が装着された場合について説明する。上述したように、Ｌカセット３０の横幅はＧ３であるため、Ｌカセット３０は、カセットホルダ２００の右側板部２０１ａ及び左側板部２０１ｂに案内されて装着される。まず、Ｌカセット３０は、その底面がＭカセットガイド部材２２１の傾斜部２２１ａに当接する。そして、Ｌカセット３０の挿入動作に連動して、Ｍカセットガイド部材２２１は、Ｍカセットガイドばね２２４の付勢力に抗して上述した回動による退避を開始する。その後、Ｌカセット３０は、その底面がＳカセットガイド部材２１１の傾斜部２１１ａに当接する。そして、Ｌカセット３０の挿入動作に連動して、Ｓカセットガイド部材２１１も、上述した回動による退避を開始する。さらに挿入していくと、Ｓカセットガイド部材２１１、Ｓカセットストッパ２１２、Ｍカセットガイド部材２２１、およびＭカセットストッパ２２２は、Ｌカセット３０の挿入空間外に退避する。このとき、Ｓカセットガイド部材２１１およびＭカセットガイド部材２２１は、上記角度θ１°だけ回動した後にそれぞれＳカセットストッパ２１２およびＭカセットストッパ２２２と一体となってさらに角度θ２°回動する。一方、Ｌカセット３０は、これらの動作と連動して、メインホルダ２０１から挿入空間に突出したＬカセット検出ロッド２３６と当接する。なお、上述したように挿入空間に突出したＬカセット検出ロッド２３６は、上述したＳカセットストッパ２１２およびＭカセットストッパ２２２の突出部に対して、カセット挿入口の奥側に配置されているため、Ｌカセット３０の側面を案内する長さ（つまり、当該側面と接触する右側板部２０１ａ及び左側板部２０１ｂの長さ）が長く設定され、安定してＬカセット３０をＬカセット検出ロッド２３６の位置まで案内することができる。
【００７９】
そして、Ｌカセット検出ロッド２３６は、Ｌ検出ロッドばね２３７の付勢力に抗して、カセット挿入方向に摺動する。その後、Ｌカセット検出ロッド２３６の摺動によって、Ｌカセット検出スイッチ２３８を遮ると（図１７参照）、駆動機構１００に設けられたモータ１１０が回転を開始して、Ｌカセット３０を搭載したカセットホルダ２００が水平方向に移動を開始する。なお、Ｌカセット検出スイッチ２３８およびＬカセット検出ロッド２３６が一対で巻き取りリール側および供給リール側に構成されており、モータ１１０は、双方のＬカセット検出スイッチ２３８をＬカセット検出ロッド２３６が遮ることによって回転を開始する。
【００８０】
メインホルダ２０１は、右側板１０７および左側板１０８に形成されたＬ字溝１０７ａおよび１０８ａに案内されて図示ＩＮ方向に水平移動し、上述したようにサブホルダ２３１も同様に水平移動を行う。この水平移動の途中で、サブホルダ２３１の一方端部２３１ａと当接部３００とが当接し、サブホルダ２３１のみ水平方向の移動を妨げられるため、当該当接以降は、メインホルダ２０１のみ水平方向の移動を継続する。つまり、メインホルダ２０１に対して、サブホルダ２３１は、図示ＯＵＴ方向に移動することになる。ここで、サブホルダ２３１には、上述したようにＬカセット検出ロッド２３６が設けられており、Ｌカセット検出ロッド２３６がメインホルダ２０１の底面を貫通してテープカセットの挿入空間内に突出している部位（図５参照）には、Ｌカセット３０のフロントリッドロック爪３２および３３が係合してＬカセット３０を係止している。上述したサブホルダ２３１のメインホルダ２０１に対する図示ＯＵＴ方向の移動によって、この挿入空間内に突出している部位も同様に図示ＯＵＴ方向に移動するため、Ｌカセット３０は、メインホルダ２０１に対して図示ＯＵＴ方向にスライドする。
【００８１】
そして、メインホルダ２０１は、右側板１０７および左側板１０８に形成されたＬ字溝１０７ａおよび１０８ａに案内されて垂直移動を開始する。この垂直移動においても、サブホルダ２３１は、上述した当接状態を保持しており、メインホルダ２０１に設けられたＬカセット検出スイッチ２３８とサブホルダ２３１に設けられたＬカセット検出ロッド２３６との位置関係は、Ｌカセット検出ロッド２３６の端部２３６ｂがＬカセット検出スイッチ２３８が有する一対の受発光素子の中央部付近に配置される（図１８参照）。ここで、メインホルダ２０１に搭載されたＬカセット３０が安定してＬカセット検出ロッド２３６が挿入空間内に突出している部位と係合している場合は、サブホルダ２３１に対してＬカセット検出ロッド２３６が図示ＩＮ側に配置されるため、Ｌカセット検出ロッド２３６がＬカセット検出スイッチ２３８を遮る状態となる（図１８の状態）。一方、この垂直移動のときにメインホルダ２０１に搭載されたＬカセット３０が位置ずれによってＬカセット検出ロッド２３６が挿入空間内に突出している部位と係合していない場合は、Ｌ検出ロッドばね２３７の付勢力によってサブホルダ２３１に対してＬカセット検出ロッド２３６が図示ＯＵＴ側に配置され、Ｌカセット検出ロッド２３６の端部２３６ｂがＬカセット検出スイッチ２３８が有する一対の受発光素子の図示ＯＵＴ側に位置するため、Ｌカセット検出スイッチ２３８がＬカセット検出ロッド２３６によって遮られない状態となる。つまり、Ｌカセット検出スイッチ２３８は、カセットホルダ２００が上記垂直移動状態において搭載したＬカセット３０の位置を、Ｌカセット検出ロッド２３６に形成された端部２３６ｂの位置によって検出することができる。
【００８２】
そして、カセットホルダ２００は、搭載したＬカセット３０を上記当接状態を保持して上記第２の位置まで移動させる。ここで、上述したようにＬカセット検出ロッド２３６の上記挿入空間への突出部が、Ｓカセットストッパ２１２およびＭカセットストッパ２２２の突出部に対してカセット挿入口の奥側に配置され、Ｌカセット３０の側面を案内する長さが長く設定したため、Ｌカセット３０は、カセットホルダ２００に挿入した時点では、他のＳカセット１０およびＭカセット２０に対して、その前面がカセット挿入口に対して奥に配置されている。本実施形態では、上述したようにカセットホルダ２００の上記ＩＮ方向の水平移動中に搭載されたＬカセット３０をスライドさせることによって、当該水平移動中に他のＳカセット１０およびＭカセット２０の前面位置とＬカセット３０の前面位置とを一致させるように構成している。つまり、上述した当接状態で水平移動する長さを、Ｌカセット検出ロッド２３６の上記挿入空間への突出部とＳカセットストッパ２１２およびＭカセットストッパ２２２の突出部との図示ＩＮ方向の距離に設定することによって、上記第２の位置における全てのテープカセットの前面位置を一致させることができる。つまり、Ｌカセット３０においても、Ｌカセット３０に形成された共通位置決め孔３４および３５に位置決めピン（図示せず）等が挿入されることによって、Ｌカセット３０は正確に上記記録再生可能な位置に配置される。
【００８３】
ここで、Ｌカセット検出スイッチ２３８をサブホルダ２３１と一体的に設けることによって、水平移動中の搭載されたＬカセット３０の位置を常に検出することが可能である。しかしながら、Ｌカセット検出スイッチ２３８をサブホルダ２３１に設ける場合、Ｌカセット検出スイッチ２３８が有する配線がサブホルダ２３１とメインホルダ２０１との間を渡す構成となり、当該配線は、メインホルダ２０１に対するサブホルダ２３１の移動を吸収できるようにしなければならない。つまり、上記配線がサブホルダ２３１の移動によってたわみと引張りとを繰り返すことになるため、Ｌカセット検出スイッチ２３８の信頼性が劣ってしまう。また、上記配線のたわみに要するスペースおよびサブホルダ２３１にＬカセット検出スイッチ２３８を設置するスペース等を確保する必要があり、スペース効率も悪くなる。これに対し、本発明のＬカセット検出スイッチ２３８は、メインホルダ２０１に設けられているため、上述した問題を解決することが可能であり、少なくともＬカセット３０がユーザによって挿入された位置および上記垂直移動時のＬカセット３０の位置を検出することができるため、カセット装着装置自体の信頼性を高めながら正確にＬカセット３０の位置検出を可能にし、Ｌカセット３０をより正確に上記記録再生可能な位置まで案内することができる。
【００８４】
このように、本発明の一実施形態に係るカセット装着装置は、装着するテープカセットに応じてその側面を案内する機構（Ｓカセットガイド部材２１１およびＭカセットガイド部材２２１）およびその奥行き位置を決定しフロントリッドロック爪と係合する機構（Ｓカセットストッパ２１２およびＭカセットストッパ２２２）を、上記略垂直位置におけるテープカセット挿入空間への突出量に応じてそれぞれ固有の退避角度を設定して当該テープカセット挿入空間から退避させることができる。つまり、上記略垂直位置におけるテープカセット挿入空間への突出量に応じて、テープカセット挿入空間から退避する退避量をそれぞれ最低限に設定することができる。したがって、カセット装着装置を構成するカセットホルダの下部に必要な退避のための空間を小さくすることが可能であり、当該カセットホルダが上記第２の位置まで移動するための垂直ストロークを大きく低減することによって、カセット装着装置の薄型化および移動時間の短縮に大きく貢献できる。
【００８５】
また、従来、それぞれの退避角度が同じ場合、回動半径の短い部材が必要な退避角度によって規制されるため、上記退避量を少なくするためには側面を案内する機構の上記略垂直位置におけるテープカセット挿入空間への突出量を小さくする必要があった。しかしながら、上記テープカセット挿入空間への突出量を自由に設定することができるため、上記側面を案内する機構のテープカセット挿入空間への突出量を小さくしたことに起因する、テープカセット挿入時の当該機構への乗り上げもしくは装置内への落ち込みによる不慮の事故や損傷等を未然に防ぐことができ、信頼性および安全性の高いカセット装着装置を実現できる。さらに、従来以上に側面を案内する機構の高さを高く設計することができるため、挿入感に優れた操作性の高いカセット装着装置を提供することができる。
【００８６】
さらに、最も大きなテープカセットを装着する場合、他のサイズのテープカセット側面を案内する機構および奥行き位置を決定しフロントリッドロック爪と係合する機構を、当該テープカセットの挿入動作によって退避させる必要があるため、それぞれの退避に必要な負荷が集中することなる。しかしながら、本発明によれば、小型テープカセット用の機構と中型テープカセット用の機構との配置をずらすことによって、その負荷の集中を軽減し、挿入時負荷の分散化を図ることができるため、ユーザにとって取り扱いやすく操作性の高いテープ装着装置を提供することができ、その実用的効果は大きい。
【００８７】
また、搭載したテープカセットを移動させるカセットホルダに対してスライド移動するテープカセットの搭載位置を検出する検出スイッチを、当該カセットホルダに設けることによって、スペース効率が良く、複雑な配線を不要にし、小型化に好適なカセット装着装置を提供できる。そして、当該検出スイッチをカセットホルダに設けても、テープカセットがユーザによって挿入された位置およびテープカセット移動時の位置を検出することができるため、カセット装着装置自体の信頼性を高めながら正確なテープカセットの位置検出を可能にしている。
【図面の簡単な説明】
【図１】本発明の一実施形態に係るカセット装着装置で用いられるＳカセット１０の概略を示す斜視図である。
【図２】図１のＳカセット１０とＭカセット２０およびＬカセット３０とを重ねて底面から見た平面概要図である。
【図３】本発明の一実施形態に係るカセット装着装置の全体構成を示す正面から見た斜視図である。
【図４】図３のカセット装着装置を構成する駆動機構１００の概観を示す後面から見た斜視図である。
【図５】図３のカセット装着装置の正面から見たカセットホルダ２００の概観を示す斜視図である。
【図６】図５のメインホルダ２０１に配置されたＳカセットガイド２１０とＭカセットガイド２２０の平面位置関係を示す平面概観図である。
【図７】図５の巻き取りリール側に設けられる一方のＳカセットガイド２１０およびＭカセットガイド２２０のカセット未挿入状態での概観を示す斜視図である。
【図８】図５の巻き取りリール側に設けられる一方のＳカセットガイド２１０およびＭカセットガイド２２０のカセット未挿入状態での概観を示す正面図である。
【図９】図５の巻き取りリール側に設けられる一方のＳカセットガイド２１０およびＭカセットガイド２２０のカセット未挿入状態での概観を示す平面図である。
【図１０】図５の巻き取りリール側に設けられる一方のＳカセットガイド２１０およびＭカセットガイド２２０のＭカセット２０が挿入途中状態での概観を示す正面図である。
【図１１】図５の巻き取りリール側に設けられる一方のＳカセットガイド２１０およびＭカセットガイド２２０のＭカセット２０が装着された状態での概観を示す正面図である。
【図１２】図５の巻き取りリール側に設けられる一方のＳカセットガイド２１０およびＭカセットガイド２２０のＭカセット２０が装着された状態での概観を示す斜視図である。
【図１３】図５の巻き取りリール側に設けられる一方のＳカセットガイド２１０およびＭカセットガイド２２０のＭカセット２０が装着された状態での概観を示す平面図である。
【図１４】図５の巻き取りリール側に設けられる一方のＳカセットガイド２１０およびＭカセットガイド２２０のＬカセット３０が装着された状態での概観を示す斜視図である。
【図１５】図５のカセットホルダ２００の底面から見たサブホルダ２３１の概観を示す底面図である。
【図１６】図１５のサブホルダ２３１がＬカセット３０が未挿入状態での概観を示す底面図である。
【図１７】図１５のサブホルダ２３１がＬカセット３０が装着状態での概観を示す底面図である。
【図１８】図１５のサブホルダ２３１が当接部３００と当接した状態での概観を示す底面図である。
【符号の説明】
１０…Ｓカセット
２０…Ｍカセット
３０…Ｌカセット
１１、２１、３１…フロントリッド
１２、１３、２２、２３、３２、３３…フロントリッドロック爪
１４、１５、２４、２５、３４、３５…共通位置決め孔
１６、２６、３６…供給リール
１７、２７、３７…巻き取りリール
１８、２８、３８…開口部
１００…駆動機構
１０７…右側板
１０８…左側板
１０９…天板
１１０…モータ
１１１…歯車機構
２００…カセットホルダ
２０１…メインホルダ
２０２…カセット押さえ機構
２０３…Ｓカセット検知レバー
２０４…Ｍカセット検知レバー
２０５…Ｌカセット検知レバー
２０６…サブガイドピン
２０７…支持ピン
２０８…規制板
２１０…Ｓカセットガイド
２１１…Ｓカセットガイド部材
２１２…Ｓカセットストッパ
２１３、２２３…支軸
２１４…Ｓカセットガイドばね
２１５…スリーブ
２１６…Ｓ／Ｍカセット検出ロッド
２１７…Ｓ／Ｍ検出ロッドばね
２１８…Ｓ／Ｍカセット検出スイッチ
２２０…Ｍカセットガイド
２２１…Ｍカセットガイド部材
２２２…Ｍカセットストッパ
２２４…Ｍカセットガイドばね
２２７…Ｍカセットストッパばね
２３１…サブホルダ
２３２…サブホルダばね
２３３…ロッドガイドピン
２３６…Ｌカセット検出ロッド
２３７…Ｌ検出ロッドばね
２３８…Ｌカセット検出スイッチ
３００…当接部
【図１】
2004192664.tif 000003
【図２】
2004192664.tif 000004
【図３】
2004192664.tif 000005
【図４】
2004192664.tif 000006
【図５】
2004192664.tif 000007
【図６】
2004192664.tif 000008
【図７】
2004192664.tif 000009
【図８】
2004192664.tif 000010
【図９】
2004192664.tif 000011
【図１０】
2004192664.tif 000012
【図１１】
2004192664.tif 000013
【図１２】
2004192664.tif 000014
【図１３】
2004192664.tif 000015
【図１４】
2004192664.tif 000016
【図１５】
2004192664.tif 000017
【図１６】
2004192664.tif 000018
【図１７】
2004192664.tif 000019
【図１８】
2004192664.tif 000020